(57)【特許請求の範囲】
【請求項１】
組織片から顕微鏡標本を作製する組織片処理装置の処理槽に薬液を供給すべく、接続プラグが取り付けられている薬液タンクを、前記組織片処理装置のタンク収納部内に挿脱自在に収納すると共に、挿入時に、前記処理槽に通じる送液管口に取り付けられている接続ソケットに前記接続プラグが接続する薬液タンクの接続構造において、
前記接続プラグには、
薬液を通す薬液通路と、前記薬液タンク内で発生するガスを通す排ガス通路とが形成され、
前記接続ソケットには、前記接続プラグの前記薬液通路と連結して薬液を通すと共に、接続プラグが装着されていない場合には接続ソケットの液止めを行う逆止弁が設けられた薬液管路と、前記接続プラグの前記排ガス通路と連結してガス処理部へ向けてガスを通す排ガス管路とが形成されていることを特徴とする薬液タンクの接続構造。
【請求項２】
前記接続ソケットの前記排ガス管路は、複数の薬液タンクから排出されたガスをまとめて液化する排ガスヘッダーに接続されていることを特徴とする請求項１記載の薬液タンクの接続構造。
【請求項３】
前記接続プラグと前記接続ソケットとの間に、ワンタッチで着脱可能なロック機構が設けられていることを特徴とする請求項１または２記載の薬液タンクの接続構造。
【請求項４】
前記ロック機構は、前記接続プラグの外周に形成された溝部と、前記接続ソケットの内壁面の収納凹部内に収納されて前記接続プラグの溝部に嵌合するリング状部材とから成り、
前記接続ソケット内の、前記リング状部材よりも奥部側には、挿入された前記接続プラグの薬液通路および排ガス通路と連結する前記薬液管路および排ガス管路を覆って形成される筒状のハウジングが設けられ、
前記リング状部材の内壁面には、前記ハウジングの先端部が当接可能に設けられた当接部が形成されていることを特徴とする請求項３記載の薬液タンクの接続構造。
【発明の詳細な説明】
【０００１】
【発明の属する技術分野】
本発明は、組織片から顕微鏡標本を作製する組織片処理装置に薬液を供給する薬液タンクに設けられた接続プラグと、前記組織片処理装置内の前記薬液タンクが収納されるタンク収納部内に設けられ、前記接続プラグと接続可能に形成された接続ソケットとから成る薬液タンクの接続構造に関する。
【０００２】
【従来の技術】
先ず、図９に基づいて組織片処理装置について説明する。
組織片処理装置１０は、生物の組織片から顕微鏡標本を作製するために用いられる装置であって、収納された組織片の固定、脱水、脱脂・置換、パラフィン包埋の各処理を自動的に行うものである。
上述した組織片の各処理を行うには、パラフィンを除いたそれぞれの処理工程においてホルマリン固定液、アルコールとキシレンといった種々の処理用の薬液が必要である。
このため、組織片処理装置１０の下方には、各処理用の薬液が収納された複数個の薬液タンクが着脱可能であるタンク収納部１２が設けられている。
タンク収納部１２内に装着された薬液タンクから組織片処理装置１０内部の図示しない処理槽内に薬液が供給される。
【０００３】
図１０に、組織片処理装置内のタンク収納部１２の内部構造について示す。
なお、本図ではタンク収納部１２の奥部側は図面右側となるように図示されている。また、このタンク収納部１２は、薬液タンク１４を高さ方向に２段にわたって収納している。
従来の薬液タンク１４について説明すると、薬液タンク１４の上面側には、タンク内で発生したガスを排気するための排気口１６と、タンク内部に収納されている薬液１１を組織片処理装置１０へ供給するための供給口１８とが別々に形成されている。
排気口１６は上方に向かって開口されており、この排気口１６には組織片処理装置１０と接続するための接続ソケット１７が取り付けられている。接続ソケット１７には、タンク内部と連通すると共にタンク収納部１２の奥部側に向かって開口する接続穴１９が設けられている。
【０００４】
供給口１８は、薬液タンク１４の手前側（図面左側）端部を上昇するように形成された通路部２２の先端に設けられている。この通路部２２の先端はタンク収納部１２の奥部（図面右側）方向に向かうように曲折されており、供給口１８もタンク収納部１２の奥部方向に向かうように設けられている。供給口１８には、組織片処理装置１０側と接続するための接続プラグ２４が設けられている。
なお、このような構造を有する薬液タンク１４はポリエリレン等の合成樹脂によって形成されている。
【０００５】
続いて、上述した薬液タンク１４をタンク収納部１２に収納したときの、薬液タンク１４と組織片処理装置１０との間を接続する接続構造について説明する。
薬液タンク１４をタンク収納部１２内に収納すると、薬液タンク１４の奥部側に設けられている排気口１６の接続ソケット１７の接続穴１９内に、タンク収納部１２内の奥部側内壁面１２ａから手前側に向けて突出する接続プラグ２１が挿入される。この接続プラグ２１は排気管２５を介して図示しない排気処理部に接続されている。このため、薬液タンク１４内で発生したガスは、組織片処理装置１０内の排気処理部に排気することができ、良好に処理が行える。
また、薬液タンク１４をタンク収納部１２内に収納すると、薬液タンク１４の手前側に設けられた、薬液を供給するための接続プラグ２４は、タンク収納部１２内で手前側に突出するように設けられた接続ソケット２６に接続される。
接続ソケット２６には、組織片処理装置１０内の図示しない処理槽へ接続されている供給チューブ２７が接続されている。このため、薬液タンク１４内の薬液は、組織片処理装置１０内の処理槽へ良好に供給することができる。
【０００６】
【発明が解決しようとする課題】
上述したように、薬液タンクは合成樹脂製である。このため、薬液タンク内に収納されている薬液の性質等によっては、薬液タンクが膨張して寸法が変化することも考えられる。
このように薬液タンクが膨張してしまうと、図１０に示す接続ソケット１７と接続プラグ２４との間の距離Ｌが伸びてしまう。
この場合に、薬液タンク１４をタンク収納部１２内へ収納しようとしても、まず薬液タンク１４の奥部側の接続ソケット１７と接続プラグ２１とは接続できても、薬液を供給する側の接続プラグ２４の位置が本来の位置ｘよりも手前側の位置ｘ1 にずれ込んでしまい、薬液タンク１４と組織片処理装置１０との間の接続が良好に行い得ないといった課題があった。
【０００７】
そこで、本発明の目的は、薬液タンクと組織片処理装置との間で、薬液を組織片処理装置へ供給するための薬液通路と、薬液タンク内で発生したガスを排気するための排ガス通路とを１つにまとめた構造により薬液タンクを連結するようにした接続構造を提供するにある。
【０００８】
【課題を解決するための手段】
本発明は上記課題を解決するために次のような構成を備える。すなわち、本発明にかかる薬液タンクの接続構造によれば、組織片から顕微鏡標本を作製する組織片処理装置の処理槽に薬液を供給すべく、接続プラグが取り付けられている薬液タンクを、前記組織片処理装置のタンク収納部内に挿脱自在に収納すると共に、挿入時に、前記処理槽に通じる送液管口に取り付けられている接続ソケットに前記接続プラグが接続する薬液タンクの接続構造において、前記接続プラグには、薬液を通す薬液通路と、前記薬液タンク内で発生するガスを通す排ガス通路とが形成され、前記接続ソケットには、前記接続プラグの前記薬液通路と連結して薬液を通すと共に、接続プラグが装着されていない場合には接続ソケットの液止めを行う逆止弁が設けられた薬液管路と、前記接続プラグの前記排ガス通路と連結してガス処理部へ向けてガスを通す排ガス管路とが形成されていることを特徴としている。
この構成を採用することによって、ガスと薬液が流れる通路をまとめて１つの継手で行うことができるので、薬液タンクの膨張等があってもどちらか一方の通路しか連結できないといった事態は避けることができ、接続を良好に行うことができる。また、薬液管路に逆止弁を設けたので、薬液タンクを組織片処理装置から着脱する際に薬液の液垂れ防止と、接続しない状態で誤って装置側より液を流出しない安全機能を有する。
【０００９】
また、前記接続ソケットの前記排ガス管路は、複数の薬液タンクから排出されたガスをまとめて液化する排ガスヘッダーに接続するようにすれば、液化したものの逆流を防止できる。
さらに、前記接続プラグと前記接続ソケットとの間に、ワンタッチで着脱可能なロック機構が設けられていると、着脱時の手間が省け、短時間での着脱が行える。
なお、前記ロック機構は、前記接続プラグの外周に形成された溝部と、前記接続ソケットの内壁面の収納凹部内に収納されて前記接続プラグの溝部に嵌合するリング状部材とから成り、前記接続ソケット内の、前記リング状部材よりも奥部側には、挿入された前記接続プラグの薬液通路および排ガス通路と連結する前記薬液管路および排ガス管路を覆って形成される円筒状のハウジングが設けられ、前記リング状部材の内壁面には、前記ハウジングの先端部が当接可能に設けられた当接部が形成されていることにより、ハウジングの先端部がリング状部材の内壁面に当接してリング状部材を収納凹部内でずれたりしないようにしてリング状部材の中心の軸芯を接続ソケットの中心の軸芯と常に合わせていることができるために、接続プラグの挿入時にリング状部材が邪魔になったりせず、接続プラグと接続ソケットとの挿脱が良好に行える。
【００１０】
【発明の実施の形態】
以下、本発明の薬液タンクの接続構造の好適な実施の形態を添付図面に基づいて詳細に説明する。
図１は、薬液タンクを組織片処理装置１０に設けられているタンク収納部１２内に収納したところを示す。また、図２には、複数個の薬液タンク３０を装着した組織片処理装置の構造について示す。
なお、従来の技術で説明した構成要素と同一の構成要素については同一の符号を付し、説明を省略する。また、本明細書においては収納タンクの奥部側方向は図面右側であって、手前側方向は図面左側に統一している。
まず、薬液タンク３０の構造について説明する。
薬液タンク３０は、組織片処理装置１０へ供給するための薬液１１が内部に収納されている。
この薬液タンク３０において、薬液１１を組織片処理装置１０側へ供給するための供給口３２は、タンク収納部１２の奥部側（図面右側）に向けて開口して設けられている。
この供給口３２には、接続プラグ３４がはめ込まれている。接続プラグ３４には、薬液タンク３０内部から伸びて、薬液１１を吸い上げる給液チューブ３６が接続されている。
【００１１】
３８は、供給口である。供給口３８は、薬液タンク３０の上面側の、タンク収納部１２の手前側（図面左側）に上面側に開口して設けられている。
供給口３８は、薬液タンク３０内に薬液１１を供給するために設けられている部位であるので、薬液タンク３０がタンク収納部１２内に収納されている場合の状態では使用することはない。このため、供給口３８には通常は供給口キャップ４０が取り付けられ、閉塞されている。
【００１２】
タンク収納部１２の奥部側の壁面１２ａの所定位置には、薬液タンク３０と接続するための接続ソケット４２が設けられている。接続ソケット４２は、組織片処理装置１０内の処理槽５７内に送液管４４を介して接続されている。接続ソケット４２は、送液管４４の薬液タンク側先端部である送液管口５３に取り付けられる。
また、図２に示すように、タンク収納部１２内には複数個の薬液タンク３０が接続されている。本図の例では、横方向に５個並んで設けられた薬液タンク３０の列が上下方向に３段にわたって収納されている。
薬液タンク内で発生したガスが排気される排ガスヘッダー４３は、横方向に並んでいる複数の薬液タンク３０同士の間にわたって設けられている。また、違う段の排ガスヘッダー４３同士は接続管４１によって接続されている。
排ガスヘッダー４３内に排出されたガスは、最終的には、排ガス管４５を介して排ガス処理部５５へ排気される。
なお、図２で示した複数のタンクのうち、６１は排ガスヘッダー４３内で液化された廃液を溜める廃液タンク、６３は水タンクである。
【００１３】
次に、図３に接続プラグを拡大したところを、図４に接続ソケットを拡大したところを、図５および図６に接続ソケットに接続プラグを挿入して装着したところを示し、接続プラグおよび接続ソケットの構造を動作と共にさらに詳細に説明する。
接続プラグ３４は、給液口３２の外周壁３２ａに取り付けるために内壁側にネジ溝が形成された取り付け部３３と、給液チューブ３６に接続されて薬液を流通させる薬液通路３５と、薬液タンク３０内に発生するガスを排気するためにガスを流通させる排ガス通路３７とを有している。
排ガス通路３７は、薬液通路３５の径方向の外方に配置されている。
また、薬液通路３５の先端部である出口側端部３５ａは、排ガス通路３７の先端部である出口側端部３７ａよりも突出して形成されている。このため、排ガス通路３７が形成されている部位は、薬液通路３５のみが形成されている部位よりも大径に形成されている。
【００１４】
接続プラグ３４は取り付け部３３によって、給液口３２の外周壁３２ａに対してねじ込み式に取り付けられる。つまり、接続プラグ３４は薬液タンク３０からは簡単に取り外しができる。
また、薬液通路３５の出口側端部３５ａの外周壁と、排ガス通路３７の外側の外周壁３９にはシール用のＯリング４６とＯリング４８が取り付けられている。このよにシール材としてのＯリング４６とＯリング４８を装着することによって、接続ソケット４２と接続した際の、接続ソケットと接続プラグとの間からの薬液やガスの漏れを防ぐようにしている。
また、このように接続ソケット側ではなく接続プラグ側に、シール材であるＯリングを設けたので、タンク収納部１２の奥部側の接続ソケットにシール材を設けるよりはシール材の保守管理が容易となる。
さらに、排ガス通路３７の外側の外周壁３９には、周方向に形成された溝部４９が形成されている。この溝部４９は後述するロック機構として用いられる。
【００１５】
接続ソケット４２について説明する。
接続ソケット４２は、タンク収納部１２の奥部側壁面１２ａに、開口側がタンク収納部１２内に突出するように設けられている。
５０は、挿入口である。挿入口５０の内径は、接続プラグ３４の排ガス通路３７の外側の外周壁までは挿入可能な径に形成されている。
挿入口５０の内側には、挿入口５０の内壁面よりも内方へ突出するように成形され、リング状部材の一例であって環状の一部が切欠かれてＣ字状に成形されているＣ形リング５２が設けられている。
Ｃ形リング５２は、通常は内壁面よりも内方へ突出するような径を有しているが、接続プラグ３４が挿入されたときには外方へ広げられて接続プラグ３４の溝部４９内に嵌まり込み、抜け止めとなる。
【００１６】
５４は、送液管４４へ連通している薬液管路である。薬液管路５４は、接続プラグ３４の薬液通路３５が挿入可能な径を有する筒状の挿入部５６と、挿入部５６よりも奥部側に設けられて、挿入された接続プラグ３４の薬液通路３５の先端部に押動されたときに薬液通路３５と薬液管路５４とにわたって流路を開く逆止弁５８が設けられている。
逆止弁５８は、薬液管路５４内に、手前側方向に付勢されている弁体６０および弁体６０と一体に形成されて接続プラグ３４の薬液通路３５の先端部に当接する押動部６４と、弁体６０を付勢するためのスプリング６２とが設けられている。
弁体６０には、中空に形成された押動部６４の中空部と連通する連通穴７１が穿設されている。
このような、逆止弁５８が設けられていることによって、接続ソケット４２に接続プラグ３４が装着されていない場合には弁体６０が薬液管路５４の狭窄部６７内壁面に当接して薬液管路５４を閉塞しており、薬液の液止めを行うと共に液垂れを防止する。
【００１７】
挿入部５６の外方には、所定の間隔の隙間５９をおいて挿入部５６を覆うハウジング６９が設けられている。この挿入部５６の外壁とハウジング６９の内壁との間の隙間５９と、この隙間５９と排ガスヘッダー４３とを連通させるようにハウジング６９の側面に穿設された連通穴８０とが、接続プラグ３４の排ガス通路３７と連通する排ガス管路５１である。
なお、図４〜図７に示したハウジング６９は薬液タンク３０用に形成されたものであって、このハウジング６９の排ガス管路５１を構成する連通穴８０は上方の１か所のみに形成されている。
ただし、図２に示した廃液タンク６１に取り付けられる接続ソケットでは、上方に形成した連通穴８０だけではなく、側方に廃液管路（図示せず）を穿設して外部と連通させている。これにより、廃液タンク６１には排気ヘッダー４３内に溜まった廃液を前記廃液管路から流しこむことができるのである。
【００１８】
なお、本実施形態においては、排ガスヘッダー４３、排ガス管路５１および接続プラグ３４に至るまで、ガスの逆流を防止する逆止弁が設けられていない。これは、たとえ、逆止弁を設けたとしても排ガスヘッダー４３内がパラフィンガスによって汚れてしまい、逆止弁の動作不良を起こしてしまうおそれがあるからである。
上述したように、排ガスヘッダー４３内に排気されたガスは排ガスヘッダー４３内で液化し、廃液タンク６１（図２）に排出させられる。
【００１９】
また、接続ソケット４２へ接続プラグ３４が挿入されると、薬液管路５４の先端部に設けられた挿入部５６内に接続プラグ３４の薬液通路３５が挿入され、薬液管路５４の先端部のＯリング４６が挿入部５６の内壁面との間をシールする。
このとき、接続プラグ３４の排ガス通路３７は、排ガス管路５１と連通するように位置されており、薬液タンク３０内のガスは排ガス管路５１を通って排ガスヘッダー４３へ排気される。
このため、薬液タンク３０内で生じたガスは、薬液管路５４の方へ漏れず、矢印Ｃ方向に排ガスヘッダー４３へ排気される。
また、排ガス通路３７の外側の外周壁のＯリング４８が挿入口５０の内壁面に当接し、ガスが外部へ漏れないようにシールしている。
【００２０】
以下、接続プラグ３４を接続ソケット４２へ装着させていくところを説明する。
接続プラグ３４が接続ソケット４２内に挿入されると、挿入部５６内に挿入された接続プラグ３４の先端部が押動部６４をスプリング６２の付勢力に抗して押動する。これにより弁体６０が狭窄部６７から離れて奥部側へ移動して薬液管路５４の閉塞状態を解除する。
薬液管路５４は、弁体６０に設けられた連通穴７１が、狭窄部６７内からスプリング６２方向に移動してあらわになることで、連通穴７１を介して挿入された接続プラグ３４の薬液通路３５との間で連通する。
これにより、薬液タンク３０から、連通穴７１を通って薬液が矢印Ｂ方向に供給される。
なお、組織片処理装置１０内には、図示しないポンプが送液管４４に接続されて設けられており、ポンプ作動することで薬液を薬液タンク３０内から吸い上げるのである。
【００２１】
さらに、接続ソケット４２へ接続プラグ３４が挿入されると、挿入口５０の内壁面に設けられたＣ形リング５２が、接続プラグ３４の溝部４９内に嵌まり込み、ロックされて抜け止めとなる。
なお、このＣ形リング５２によるロックを解除する場合には、ただ接続プラグ３４を接続ソケット４２から引き抜くようにすればよい。つまり、接続プラグ３４を引き抜く力によってＣ形リング５２の径を広げさせ、Ｃ形リング５２と溝部４９との間のロックを解除するのである。
このようなロック機構を設けたことによって、ワンタッチで薬液タンク３０を組織片処理装置１０へ接続することができ、手間をかけずに容易に接続可能となっている。
【００２２】
次に、図７および図８に基づいて他の実施例を説明する。
本実施例は、接続ソケット４２内に設けられているロック機構を構成するＣ形リングの断面の奥部側に傾斜するテーパ面を形成したものである。なお、図８は、リング状部材の一例たるＣ形リングの断面（図７の範囲Ｄ）を拡大したものである。
Ｃ形リング７０は、接続ソケット４２の挿入口５０の内壁面に周回して形成された収納凹部７２内に挿入されて設けられている。また、収納凹部７２とＣ形リング７０との間には、隙間８１が設けられている。隙間８１は、接続プラグ３４が挿入されてＣ形リング７０が拡径したときに、この拡径した分の寸法を逃がすために設けられているものである。
Ｃ形リング７０には、奥部側方向に向かって徐々にリングが大径となるような当接面であるテーパ面７４、およびテーパ面７４より内方側（図面では上方側）にテーパ面７９が形成されている。
これに対して手前側にも、手前側方向に向かって徐々にリングが大径となるように傾斜するテーパ面７８が形成されている。また、７７は、接続プラグ３４の溝部４９内に嵌まり込む嵌合面である。
【００２３】
また、接続ソケット４２の内方に設けられて、挿入部５６を覆うハウジング６９の手前側の先端部６９ａは、Ｃ形リング７０のテーパ面７４に当接するようにＣ形リング７０側に突出して設けられている。
このハウジング６９の先端部６９ａのＣ形リング７０のテーパ面７４に当接する部位には、テーパ面７４の傾斜角度に合わせた傾斜面７６が形成されている。
このようにＣ形リング７０の奥部側にテーパ面７４を成形することで、このＣ形リング７０に、ハウジング６９の先端部６９ａを当接させることができる。このため、ハウジング６９の先端部６９ａは、接続プラグ３４が挿入されていない状態でＣ形リング７０と収納凹部７２内で隙間８１が生じている場合には、この隙間８１により生じるＣ形リング７０のガタつきを防止したり収納凹部７２内で偏ってしまわないようにテーパ面７４でＣ形リング７０の径方向のずれを規制することができる。
【００２４】
つまり、Ｃ形リング７０を保持する部材がないと、収納凹部７２の内径よりも小径に形成されているＣ形リング７０は、その質量によって収納凹部７２内で下方側に偏ってしまい、Ｃ形リング７０の中心の軸線が接続ソケット４２の中心の軸線からずれてしまうおそれがある。かかる事態が生ずると、接続プラグ３４を接続ソケット４２内に挿入したとしても、挿入した接続プラグ３４の先端部が偏って位置しているＣ形リング７０に当接してしまい、接続プラグ３４の接続ソケット４２内への挿入が良好に行われなくなってしまう。そこで、ハウジング６９の先端部６９ａがＣ形リング７０のずれを規制することで接続プラグ３４と接続ソケット４２との接続を良好、且つ簡単に行い得るのである。
【００２５】
なお、ここに示すＣ形リング７０の奥部側の位置するテーパ面は、途中で傾斜角度が異なるように２段階に形成されている。
２段階に形成されたテーパ面のうち、上述してきたテーパ面７４は、ハウジング６９が当接するように奥部側に設けられているものである。一方、このテーパ面７４よりも手前側であって、嵌合面７７に接して形成されているテーパ面７９は、挿入されてきた接続プラグ３４の溝部４９に嵌め込まれたＣ形リング７０の抜けを防止すべく形成されているものである。
【００２６】
さらに、図８に示すように、嵌合面７７に接して形成された２つのテーパ面７８とテーパ面７９とは、それぞれ傾斜角度が異なるように形成されている。
テーパ面７８の傾斜角αは、接続プラグ３４を挿入する際に挿入抵抗を減らすようになるべく小さな角度に設けられている。また、テーパ面７９の傾斜角βは、Ｃ形リング７０が接続プラグ３４の溝部４９内にはめ込まれた場合に、溝部４９からＣ形リング７０が抜けにくくなるといった効果を有する。かかる場合には、接続プラグ３４が接続されて、接続プラグ３４にスプリング６２の弾性力や、接続ソケット４２内の内圧がかかっても接続プラグ３４が外れてしまわないようななるべく大きな傾斜角であって、接続プラグ３４を外すときには適度な力で外れる程度の角度が必要となる。
【００２７】
なお、Ｃ形リング７０の収納凹部７２でのずれ等を防止するには、Ｃ形リング７０の奥部側に位置するハウジング６９の先端部がＣ形リング７０のテーパ面７４に当接するだけでなく、挿入口５０の奥部側の先端部がＣ形リング７０の手前側のテーパ面７８に当接することによっても行うことができる。
【００２８】
以上本発明につき好適な実施例を挙げて種々説明したが、本発明はこの実施例に限定されるものではなく、発明の精神を逸脱しない範囲内で多くの改変を施し得るのはもちろんである。
【００２９】
【発明の効果】
本発明に係る薬液タンクの接続構造によれば、接続プラグには、薬液を通す薬液通路と、薬液タンク内で発生するガスを通す排ガス通路とを形成し、接続ソケットには、接続プラグの薬液通路と連結して薬液を通す薬液管路と、接続プラグの排ガス通路と連結してガス処理部へ向けてガスを通す排ガス管路とを形成したので、ガスと薬液が流れる通路をまとめて１つの継手で行うことができるので、薬液タンクの膨張等があってもどちらか一方の通路しか連結できないといった事態は避けることができ、接続を良好に行うことができる。また、薬液管路に逆止弁を設けることで、薬液タンクを組織片処理装置から着脱する際に薬液の液垂れ防止と、接続しない状態で組織片処理装置側から液を流出させない安全機能とを有する。
また、ロック機構を設けたことにより、接続時に確実に装着できた感触を有するため接続が確実に行うことができ、しかもワンタッチで接続することができる。
【図面の簡単な説明】
【図１】薬液タンクを組織片処理装置のタンク収納部内に収納したところを示す説明図である。
【図２】組織片処理装置内の構成を示した説明図である。
【図３】接続プラグの側面からの断面図である。
【図４】接続ソケットの側面からの断面図である。
【図５】接続ソケットに接続プラグを挿入している途中を示す説明図である。
【図６】接続ソケットへの接続プラグの挿入が完了して装着されたところを示す説明図である。
【図７】他の実施例を示す接続ソケットの側面からの断面図である。
【図８】図７に示したＣ形リングの部分拡大図である。
【図９】組織片処理装置を説明する外観図である。
【図１０】従来のタンク収納部内を示す説明図である。
【符号の説明】
１０  組織片処理装置
１２  タンク収納部
３０  薬液タンク
３２  薬液供給口
３４  接続プラグ
３５  薬液通路
３６  給液チューブ
３７  排ガス通路
３８  供給口
３９  外周壁
４１  接続管
４２  接続ソケット
４３  排ガスヘッダー
４４  送液管
４５  排ガス管
４６，４８  Ｏリング（シール材）
４９  溝部
５０  挿入口
５１  排ガス管路
５２，７０  Ｃ形リング（リング状部材）
５３  送液管口
５４  薬液管路
５５  排ガス処理部
５６  挿入部
５７  処理槽
５８  逆止弁
５９，７１  連通穴
６０  弁体
６１  廃液タンク
６２  スプリング
６３  水タンク
６４  押動部
６７  狭窄部
６９  ハウジング
７２  収納凹部
７４，７８  テーパ面
７７  嵌合面
【図１】
0004072291.tif 000002
【図２】
0004072291.tif 000003
【図３】
0004072291.tif 000004
【図４】
0004072291.tif 000005
【図５】
0004072291.tif 000006
【図６】
0004072291.tif 000007
【図７】
0004072291.tif 000008
【図８】
0004072291.tif 000009
【図９】
0004072291.tif 000010
【図１０】
0004072291.tif 000011